(57)【要約】  【課題】  偏向ヨークの位置がばらついても、ラスタ歪の変化を簡単な構造で抑えることができる陰極線管装置を提供する。  【解決手段】  内面にスクリーン面２が形成されたパネル３とファンネル４とで構成された外囲器と、ファンネル３のネック部５内に設けられた電子銃７とを備えた陰極線管２１に、ファンネル４の外部を囲むように偏向ヨーク８が設けられ、偏向ヨーク８のスクリーン面２側の端部に配置され、ラスタ歪を補正するマグネット９と、外囲器内に配置され、電子ビームの移動空間を囲むように形成された内部磁気シールド１０とをさらに備えており、内部磁気シールド１０は、マグネット９の磁界との間のクロストークを大きくするように、陰極線管２１の管軸方向の端部のうち電子銃７側の端部に、電子銃７に近づくように延出した延出部１０ａが形成されている。【選択図】  図１
2006134814.tif 000002
【特許請求の範囲】
【請求項１】
内面にスクリーン面が形成されたパネルとファンネルとで構成された外囲器と、前記ファンネルのネック部内に設けられた電子銃とを備えた陰極線管に、前記ファンネルの外部を囲むように偏向ヨークが設けられたカラー受像管装置であって、
前記偏向ヨークの前記スクリーン面側の端部に配置され、ラスタ歪を補正するマグネットと、前記外囲器内に配置され、前記電子ビームの移動空間を囲むように形成された内部磁気シールドとをさらに備えており、
前記内部磁気シールドは、前記マグネットの磁界との間のクロストークを大きくするように、前記陰極線管の管軸方向の端部のうち前記電子銃側の端部に、前記電子銃に近づくように延出した延出部が形成されていることを特徴とする陰極線管装置。
【請求項２】
前記管軸方向において、前記内部磁気シールドの最も前記電子銃に近い端部が、前記延出部の前記管軸方向における前記電子銃側の先端である請求項１に記載の陰極線管装置。
【請求項３】
前記内部磁気シールドを取り除いた状態において、前記マグネットを通り前記管軸と平行な線上の各位置と、前記各位置における前記マグネットの磁界強度との関係を示す線を作成したときに、前記各位置における前記線の接線の傾きを磁界強度の変化率とすると、
前記延出部の前記電子銃側の先端の前記管軸方向における位置は、前記磁界強度の変化率が−０．７から−１．５となる範囲内の位置である請求項１に記載の陰極線管装置。
【請求項４】
前記偏向ヨークを最も前記スクリーン面側に移動させた位置から前記電子銃側に前記管軸方向に５ｍｍ移動させたときに、前記延出部の前記電子銃側の先端の前記管軸方向における位置は、前記磁界強度の変化率が−０．７から−１．５となる範囲内の位置にある請求項１に記載の陰極線管装置。
【発明の詳細な説明】
【技術分野】
【０００１】
本発明は、テレビ受像機やコンピュータディスプレイなどに用いられる陰極線管装置に関し、特に内部磁気シールド（ＩＭＳ）を備えた陰極線管装置に関する。
【背景技術】
【０００２】
一般に、陰極線管装置においては、電子銃から放出された電子ビームは、蛍光面に到達する前に、管軸方向や水平方向の地磁気の影響を受けると、正規の軌道からずれ、横方向にランディングがずれてしまう現象が発生する。
【０００３】
この地磁気の影響を小さく抑えるために、ファンネル内面に内部磁気シールドを装着して、電子ビームの移動空間をシールドすることが行なわれている（例えば特許文献１、２参照）。この場合、その管軸方向の長さを長くするほどシールド効果を高めることができる。
【０００４】
他方、管軸方向の長さを長くすると、偏向ヨーク磁界、特に偏向ヨーク開口部上下に装着されたマグネットから発生している磁界と、内部磁気シールドとのクロストーク（公絡）によって、画面上下におけるラスタ歪の直線性が悪化するという問題が生じる。
【０００５】
このシールド効果の維持と画面上下におけるラスタ歪の直線性とを両立させるための内部磁気シールドの構成が例えば特許文献２に提案されている。図１０は、特許文献１に提案されている内部磁気シールドの背面図を示している。図１０は内部磁気シールド５０を電子銃側から見た図である。内部磁気シールド５０は略角錐状であり、開口５１が形成されている。開口５１の上下には、切り欠き５２を形成している。この構成によれば、内部磁気シールド５０の管軸方向（紙面に垂直方向）の長さを長くしつつ、切り欠き５２によりマグネットからの磁界が内部磁気シールド５０に吸い込まれる量を抑えることができる。
【特許文献１】特開平８−２８７８３９号公報
【特許文献２】特開平６−３１００４７号公報
【発明の開示】
【発明が解決しようとする課題】
【０００６】
しかしながら、実際の量産時では偏向ヨークの管軸方向の位置は、陰極線管のランディング特性のマッチングのため、前後にばらつくことになる。この場合、実質的な偏向角が変化し、ラスタ歪が新たに生じてしまう。すなわち、前記のような内部磁気シールド５０は、偏向ヨークの位置が最適位置にあるときにはラスタ歪をなくすことができたとしても、偏向ヨークの位置のばらつきにより発生するラスタ歪までも抑えるというものではなかった。
【０００７】
本発明は、前記のような従来の問題を解決するものであり、偏向ヨークの位置がばらついても、ラスタ歪の変化を簡単な構造で抑えることができる陰極線管装置を提供することを目的とする。
【課題を解決するための手段】
【０００８】
前記目的を達成するため、本発明の陰極線管装置は、内面にスクリーン面が形成されたパネルとファンネルとで構成された外囲器と、前記ファンネルのネック部内に設けられた電子銃とを備えた陰極線管に、前記ファンネルの外部を囲むように偏向ヨークが設けられたカラー受像管装置であって、前記偏向ヨークの前記スクリーン面側の端部に配置され、ラスタ歪を補正するマグネットと、前記外囲器内に配置され、前記電子ビームの移動空間を囲むように形成された内部磁気シールドとをさらに備えており、前記内部磁気シールドは、前記マグネットの磁界との間のクロストークを大きくするように、前記陰極線管の管軸方向の端部のうち前記電子銃側の端部に、前記電子銃に近づくように延出した延出部が形成されていることを特徴とする。
【発明の効果】
【０００９】
本発明によれば、偏向ヨークの位置がばらついても、ラスタ歪の変化を簡単な構造で抑えることができる。
【発明を実施するための最良の形態】
【００１０】
本発明は、内部磁気シールドに延出部を設け、マグネットの磁界との間のクロストークを大きくしたことにより、偏向ヨークの位置がばらついても、ラスタ歪の変化を簡単な構造で抑えることができる。
【００１１】
前記本発明においては、前記管軸方向において、前記内部磁気シールドの最も前記電子銃に近い端部が、前記延出部の前記管軸方向における前記電子銃側の先端であることが好ましい。この構成によれば、内部磁気シールドは、必要な磁気シールドの効果が得られる長さを確保しつつ、マグネットからの磁界とのクロストークを大きくする延出部を追加することができる。
【００１２】
また、前記内部磁気シールドを取り除いた状態において、前記マグネットを通り前記管軸と平行な線上の各位置と、前記各位置における前記マグネットの磁界強度との関係を示す線を作成したときに、前記各位置における前記線の接線の傾きを磁界強度の変化率とすると、前記延出部の前記電子銃側の先端の前記管軸方向における位置は、前記磁界強度の変化率が−０．７から−１．５となる範囲内の位置であることが好ましい。この構成によれば、延出部を磁界強度の変化率の大きい領域に配置しているので、延出部によるラスタ歪の補正効果をより高めることができる。
【００１３】
また、前記偏向ヨークを最も前記スクリーン面側に移動させた位置から前記電子銃側に前記管軸方向に５ｍｍ移動させたときに、前記延出部の前記電子銃側の先端の前記管軸方向における位置は、前記磁界強度の変化率が−０．７から−１．５となる範囲内の位置にあることが好ましい。この構成によれば、偏向ヨーク位置のばらつきの範囲内において、ラスタ歪の変化を抑えることができる。
【００１４】
以下、本発明の一実施の形態について、図面を参照しながら説明する。図１は、本発明の一実施の形態に係るカラー陰極線管装置２０の概略構成図である。本図は管軸２７（Ｚ軸）より上半分を画面垂直方向（Ｙ軸方向）の断面図で示している。
【００１５】
カラー陰極線管装置２０は、カラー陰極線管２１の外周を囲むように、偏向ヨーク８、ＣＰＵ（コンバーゼンス・ピュリティユニット）１１が取り付けられている。カラー陰極線管２１は、フェースパネル３と漏斗状のファンネル４とが接合されて外囲器であるガラスバルブを形成している。ファンネル４の管状のネック部５の内部には電子ビームを発射する電子銃７が内蔵されている。
【００１６】
フェースパネル３の内面には、赤、緑、青の各蛍光体ドットが規則正しく配列されて形成されたスクリーン面２が形成されている。シャドウマスク１は、スクリーン面２とほぼ並行して設けられている。シャドウマスク１には、電子ビーム通過孔が多数設けられており、電子銃７から射出される３本の電子ビーム６がスクリーン面２の蛍光体に正しく当たるようになっている。
【００１７】
偏向ヨーク８は、ファンネル４の外部に設けられており、電子銃７から射出される３本の電子ビーム６を上下・左右に偏向し、ラスタースキャン方式で蛍光体スクリーン２を走査させるものである。偏向ヨーク８は、本図の例では、サドル型の水平偏向コイル２２とトロイダル型の垂直偏向コイル２３とを備えており、垂直偏向コイル２３はフェライトコア２４に巻回されている。
【００１８】
垂直偏向コイル２３と水平偏向コイル２２との間には、樹脂枠２５が設けられている。樹脂枠２５は、水平偏向コイル２２と垂直偏向コイル２３との間の電気的な絶縁状態を維持すると共に、両偏向コイル２２、２３を支持する役割を果たしている。偏向ヨーク８のスクリーン面２側の端部には開口部２６が形成されており、開口部２６の画面垂直方向の上下には少なくとも１対のマグネット９が装着されている。マグネット９は、ラスタ歪を補正するためのものであり、画面垂直方向のピンクッション歪を補正することができる。
【００１９】
また、電子ビーム６の移動空間を囲むように、内部磁気シールド（ＩＭＳ）１０が配置されている。内部磁気シールド１０は、電子ビーム移動空間をシールドして、電子ビーム軌道の地磁気の影響を抑え、電子ビームのランディングずれを防止するためのものである。本実施の形態では、詳細は後に説明するが、内部磁気シールド１０に設けた延出部１０ａを利用して、偏向ヨーク８の位置変化によるラスタ歪も抑えるようにしている。
【００２０】
本実施の形態の具体的な作用について説明する前に、比較例について偏向ヨーク位置とラスタ歪との関係について説明する。図８は、比較例に係る陰極線管装置の偏向ヨーク位置（ＹＰＢ）とラスタ歪（Ｔ／Ｂ歪）との関係を示している。
【００２１】
Ｔ／Ｂ歪は後に説明する図９において、下記の式（１）で表わされる。
【００２２】
式（１）Ｔ／Ｂ（％）＝［（ａ＋ｂ）／２］×１００／［（Ａ＋Ｂ）／２］
この陰極線管装置は、２８“１００度ワイド管であり、偏向角が１００度である。
【００２３】
比較例に係る陰極線管装置においても、図１に示した陰極線管装置の各構成部品を備えている。しかしながら、内部磁気シールド１０の構成は、比較例は本実施の形態のものとは異なっている。比較例の内部磁気シールドは、図１０に示した内部磁気シールド５０と同様の構成であり、開口５１の画面垂直方向の上下に切り欠き５２を形成したものである。
【００２４】
偏向ヨーク位置（ＹＰＢ）は、偏向ヨーク８を蛍光体スクリーン面２に最も近づけた状態を０としている。すなわち、偏向ヨーク８をスクリーン面２側に移動させると、偏向ヨーク８がカラー陰極線管２１のガラスバルブに当接し、これ以上は移動できない位置に至ることになり、この位置が原点位置０である。例えば、偏向ヨーク位置が２．５ｍｍであれば、偏向ヨーク８は原点位置に対して２．５ｍｍだけ後方（電子銃７側）に移動していることになる。
【００２５】
図８の例では、偏向ヨーク位置０ｍｍのときは、バレル歪が発生しており、偏向ヨークがスクリーン面２から遠ざかるにつれて、バレル歪は小さくなり、偏向ヨーク位置２．５ｍｍのときラスタ歪が０％になっている。以後偏向ヨークがスクリーン面２から遠ざかるにつれて、ピンクッション歪が増大している。
【００２６】
次に、偏向ヨーク位置とラスタ歪との関係について、図６を参照しながら、具体的に説明する。偏向ヨーク８の位置変化により発生するラスタ歪は、以下に説明するように、３つの作用が同時進行し、これらが重なり合って決定される。ここでは、理解を容易にするために、図６（ａ）、（ｂ）、（ｃ）の各図を用いて、各作用を別個に説明する。
【００２７】
図６（ａ）は、偏向ヨーク８の位置の変化による実質的な偏向角変化がラスタ歪に与える影響を説明する図である。偏向ヨーク８を、矢印ａで示したように、スクリーン面２から遠ざけると、実質的な偏向角が大きくなり、電子ビーム軌道は破線３５から実線３６へと変化し、画面全域でのラスタサイズは拡大することになる。
【００２８】
図９は画面全域でのラスタサイズの変化の一例を示しており、図９（ａ）は画面全域でのラスタサイズが拡大した様子の一例を示している。この場合、通常の陰極線管では、画面コーナ３２における拡大に比べ、垂直軸３３上における拡大量が小さくなり、ピンクッション歪となる。この状態は、図８の例では、偏向ヨーク位置が２．５ｍｍを越えた状態に相当する。
【００２９】
一方、偏向ヨーク８をスクリーン面２に近づく方向に移動させると、実質的な偏向角が小さくなり、画面全域でのラスタサイズは縮小することになる。図９（ｂ）は画面全域でのラスタサイズが縮小した様子の一例を示している。この場合、通常の陰極線管では、画面コーナ３２における縮小量に比べ、垂直軸３３上における縮小量が小さくなり、バレル歪となる。この状態は、図８の例では、偏向ヨーク位置が２．５ｍｍより小さい状態に相当する。
【００３０】
比較例に係る陰極線管においては、偏向ヨーク位置が２．５ｍｍから１．５ｍｍに変化した場合、画面コーナ３２における上下方向の変化が０．９ｍｍであったのに対し、垂直軸３５上では０．５ｍｍと約１／２になっていた。
【００３１】
図６（ｂ）は、偏向ヨーク位置の変化によりマグネット９の磁界がラスタ歪に与える影響を説明する図である。マグネット９の磁界３７は、マグネット９に近い位置ほど強く、マグネット９から遠ざかるにつれて弱くなる。
【００３２】
図４に、２８“型の陰極線管におけるマグネット９からの距離（横軸）とマグネット９の磁界強度（縦軸）との関係の一例を示している。これは、内部磁気シールド４１を取り除いた状態で測定した結果であり、横軸は図６（ｂ）において、マグネット９を通り管軸２７と平行な線３８上の各位置を示しており、距離０はマグネット９のスクリーン面２側の面の位置である。縦軸は横軸の各位置におけるマグネット９の磁界強度を示しており、最大値を示す距離０における値を１としている。
【００３３】
図４の結果からマグネット９から離れるほど、磁界の強さは弱くなっていることが分かる。図５は、図４の結果を偏向ヨーク位置（横軸）と磁界強度の変化率（縦軸）との関係に書き直した図である。磁界強度の変化率は、図４の線４０の接線の傾きとした。この場合、距離が増加するにつれて磁界強度は小さくなっていくので、磁界強度の変化率は負である。一方、線４０の接線の勾配はマグネット９に近いほど大きく、磁界強度の変化率の絶対値はマグネット９に近いほど大きくなっている。
【００３４】
ここで、図６（ｂ）のように内部磁気シールド４１を装着した場合において、内部磁気シールド４１の後端面でかつ幅方向の中央部を基準点Ａとする（図６（ｃ）においても同じ）。図４から分かるように、マグネット９の位置から遠い位置にあるほど磁界強度は小さくなるので、偏向ヨーク８をスクリーン面２から遠ざけるにつれて、基準点Ａにおける磁界強度も小さくなる。この場合、マグネット９によるピンクッション歪の補正効果も小さくなる。
【００３５】
図６（ｃ）は、内部磁気シールド４１による磁界の遮蔽効果の変化がラスタ歪に与える影響を説明する図である。図６（ｃ）に示したように、マグネット９の磁界３７の一部は、内部磁気シールド４１により遮蔽され、磁界３７と内部磁気シールド４１との間でクロストーク（交絡）が生じる。偏向ヨーク８をスクリーン面２から遠ざける（矢印ａ方向）と、磁界３７と内部磁気シールド４１との間のクロストークは小さくなる。すなわち、磁界３７が内部磁気シールド４１に吸収される量も小さくなるので、基準点Ａにおける磁界強度は大きくなる。この場合、マグネット９によるピンクッション歪の補正効果は大きくなる。
【００３６】
以上の説明をまとめてみると、偏向ヨーク８がスクリーン面２から遠ざかると、図６（ａ）を用いて説明したように、実質的な偏向角の増大により、ピンクッション歪を発生させる効果が強くなる（効果Ａ）。また、図６（ｂ）を用いて説明したように、マグネット９の磁界強度の低下により、ピンクッション歪の補正効果が弱くなる（効果Ｂ）。さらに、図６（ｃ）を用いて説明したように、内部磁気シールド４１の遮蔽効果の低下により、ピンクッション歪の補正効果が強くなる（効果Ｃ）。
【００３７】
図８に示したように、比較例では偏向ヨークがスクリーン面２から遠ざかるにつれて、ピンクッション歪が増大しているのは、効果Ａと効果Ｂとによるピンクッション歪を発生させる効果が、効果Ｃのピンクッション歪を補正する効果より大きくなっているためである。したがって、効果Ｃを大きくすることができれば、効果Ａと効果Ｂとによるピンクッション歪を発生させる効果を打ち消すことができ、偏向ヨーク位置の変化によるラスタ歪の変化を抑えることが可能になる。
【００３８】
このことについて、数値例を参照しながら具体的に説明する。図４において、図６（ｂ）に示したＡ点が４６ｍｍの場合を考えてみる。４６ｍｍの位置における磁界強度の変化率は、図５から分かるように、−０．４程度であり比較的緩やかな変化率であるといえる。この状態において、内部磁気シールド４１をＡ点近傍においてＡ点から数ｍｍ程度電子銃側の範囲にまで延出させた場合を考えてみると、クロストークは大きくなるものの、Ａ点近傍においては磁界強度の変化率が緩やかであるので、クロストークの変化も緩やかである。したがって、この状態から偏向ヨークをスクリーン面２から遠ざけた場合は、クロストークの低下による磁界強度の増加も緩やかになる。
【００３９】
一方、この延出部が磁界強度の変化率の大きい部分を遮蔽すると、遮蔽前後におけるクロストークの変化も大きくなる。この場合、偏向ヨークをスクリーン面２から遠ざけた場合は、クロストークの低下による磁界強度の増加は急激なものとなる。
【００４０】
すなわち、あらかじめ内部磁気シールド４１の一部が磁界強度の変化率の大きい部分を遮蔽するように設定しておけば、偏向ヨーク位置の変化による磁界強度の変化量を大きくすることができ、前記の効果Ｃを高めることができる。
【００４１】
本実施形態の内部磁気シールドの構造は、このことに着眼して見出したものである。図２は本発明の一実施の形態に係る内部磁気シールドの斜視図を示している。本図は、図１の構成において、内部磁気シールド１０をマグネット９側から見た斜視図である。内部磁気シールド１０は、磁性体で形成された略角錐形状の部材であり、陰極線管２１に取り付けた状態において、管軸２７方向（Ｚ軸方向）の両端に開口が形成されており、スクリーン面２側から電子銃７側に向かうにつれて、外周面が管軸２７に近づくように形成されている。このため電子銃側の開口は、スクリーン側の開口に比べ開口面積の小さい小径開口２８を形成している。
【００４２】
小径開口２８側には、延出部１０ａが形成されている。延出部１０ａは、端面１０ｂのうち画面水平方向（Ｘ軸方向）の中央部に形成されている。すなわち、延出部１０ａの位置は、画面水平方向においてマグネット９からの磁界が強い位置に形成されている。
【００４３】
図３は、図２に示した内部磁気シールド１０の側面図を示している。図３において、２９はリファレンスラインを示している。リファレンスラインとは、スクリーン面２の対角線端の２点から管軸２７上の任意の点に連結される２つの直線が形成する角度がその陰極線管の偏向角と同一になるような管軸２７上の点（偏向中心）を通り管軸２７と直交する線のことである。
【００４４】
延出部１０ａは、端面１０ｂよりリファレンスライン２９側（電子銃７側）に延出しており、リファレンスライン２９と延出部１０ａの端部との間の距離Ａは、リファレンスライン２９と端面１０ｂとの間の距離Ｂより小さくなっている。
【００４５】
本実施の形態においては、内部磁気シールド１０の延出部１０ａを除く管軸２７方向の距離、すなわちスクリーン面２側の端面から電子銃７側の端面１０ｂまでの間の距離Ｃ（図３）は、必要な磁気シールドの効果が得られる長さを確保しており、その上で延出部１０ａを追加していることになる。
【００４６】
この構成によれば、延出部１０ａが形成されているので、陰極線管２１に装着した状態において、延出部１０ａを形成していない構成と比べると、マグネット９からの磁界と内部磁気シールド１０との間のクロストークが大きくなる。また、図１０に示したような切り欠き４２を形成した内部磁気シールド４０に比べるとクロストークはさらに大きくなる。
【００４７】
次に、延出部１０ａの大きさについて説明する。本実施の形態においては、延出部１０ａの大きさは、延出部１０ａの電子銃側の先端の管軸方向における位置が、マグネット９による磁界強度の変化率（図５）が−０．７から−１．５となる範囲内の位置になるように設定している。すなわち、延出部１０ａは磁界強度の変化率の絶対値が比較的大きい領域を遮蔽していることになる。このことにより、前記のように、偏向ヨーク位置の変化による磁界強度の変化量を大きくすることができる。
【００４８】
したがって、この構成によれば、偏向ヨーク８の位置が０ｍｍより大きくなると、すなわち偏向ヨーク８の位置が内部磁気シールド１０から遠ざかると、クロストークは急激に小さくなる。この場合、図６（ｂ）の基準点Ａに相当する基準点３０（内部磁気シールド１０の裏面）におけるマグネット９の磁界は急激に強くなり、延出部１０ａを設けていない構成に比べ、ピンクッション歪の補正効果を高めることができる。
【００４９】
この磁界強度の増加により、前記の効果Ｃを大きくすることができるので、前記の効果Ａと効果Ｂとによるピンクッション歪を発生させる効果を打ち消す効果も大きくなり、偏向ヨーク位置の変化によるラスタ歪の変化を抑えることが可能になる。
【００５０】
ここで、偏向ヨーク８の位置のばらつきは、偏向ヨーク８の位置が０ｍｍから５ｍｍ程度となる範囲内である。このため、偏向ヨーク８の位置が０ｍｍから５ｍｍの範囲内のいずれの位置にあるときでも、延出部１０ａの先端位置が磁界強度の変化率が−０．７から−１．５となる範囲内の位置であることことが好ましい。このような設定であれば、偏向ヨーク８の位置のばらつきの範囲内において、ラスタ歪の変化を抑えることができる。
【００５１】
また、磁界強度の変化率の値が−０．７から−１．５の範囲内としたのは、この範囲内の値が適度に磁界強度の変化率の絶対値が大きい範囲と考えられるからである。すなわち、磁界強度の変化率の絶対値が小さく０．３−０．４程度であると、十分な磁界強度の変化量が得られず、逆に磁界強度の変化率の絶対値が大き過ぎると、ピンクッション歪を過剰に補正してしまうことになる。
【００５２】
また、前記の数値範囲は、磁界強度で規定しているのではなく、磁界強度の変化率で規定しているので、陰極線管のサイズが異なっても適用することができる。したがって、前記の数値範囲となる管軸方向の位置は陰極線管の仕様に応じて変化することになり、これに応じて延出部１０ａの大きさも変化することになる。
【００５３】
なお、延出部１０ａを設けたことにより、マグネット９のピンクッション歪の補正効果の絶対量が低下することも考えられるが、これについてはあらかじめマグネット９の磁力を高めておくことで対応可能である。
【００５４】
以上のように、本実施の形態は、延出部１０ａをマグネット９の磁界強度の変化率の大きい領域に配置し、偏向ヨーク８の位置変化によるマグネット９の磁界強度の変化を大きくして、このマグネット９の磁界強度の変化により偏向ヨーク８の位置変化により新たに発生するラスタ歪を補正するというものである。
【００５５】
本実施の形態の一実施例として、２８“１００度ワイド管において、図３の距離Ａを６９ｍｍ、距離Ｂを８０ｍｍとした内部磁気シールド１０を備えた陰極線管装置を作製した。図７に、実施例に係る陰極線管装置の偏向ヨーク位置（ＹＰＢ）とラスタ歪（Ｔ／Ｂ歪）との関係を示している。位置調整範囲の全体に亘り、ピンクッション歪であり、歪は０．０４−０．０６％程度であり、図７に示した比較例に比べ、ラスタ歪の変化は抑えられており、ラスタ歪の大きさも半分程度に抑えられている。この歪の値は、ほぼ０％とみなし得る値であるといえる。
【００５６】
すなわち、この場合は、偏向ヨークの管軸方向における各位置において、画面コーナにおける上下方向の画像サイズ変化量と、垂直軸上位置における画像サイズ変化量とがほぼ同じになっているといえる。
【００５７】
なお、図７に示した実験結果は、若干のピンクッション歪が残っているが、マグネットの磁界強度、取付位置の設定、延出部１０ａの大きさの調整により、さらに精度を高めることができる。
【００５８】
なお、内部磁気シールドの延出部は、内部磁気シールド本体と一体の例で説明したが、別個に用意した延出部を接合したものでもよい。
【産業上の利用可能性】
【００５９】
以上のように本発明によれば、偏向ヨークの位置がばらついても、ラスタ歪の変化を簡単な構造で抑えることができるので、本発明は、例えばテレビ受像機、コンピュータディスプレイに用いられる陰極線管装置として有用である。
【図面の簡単な説明】
【００６０】
【図１】本発明の一実施の形態に係るカラー陰極線管装置の概略構成図。
【図２】本発明の一実施の形態に係る内部磁気シールドの斜視図。
【図３】本発明の一実施の形態に係る内部磁気シールドの側面図。
【図４】マグネットからの距離（横軸）とマグネットの磁界強度（縦軸）との関係の一例を示す図。
【図５】図４の結果を偏向ヨーク位置（横軸）と磁界強度の変化率（縦軸）との関係に書き直した図。
【図６】偏向ヨーク位置とラスタ歪との関係を説明する図であり、（ａ）は、偏向ヨーク８の位置の変化による実質的な偏向角変化がラスタ歪に与える影響を説明する図、（ｂ）は偏向ヨーク位置の変化によりマグネットの磁界がラスタ歪に与える影響を説明する図、（ｃ）は内部磁気シールドによる磁界の遮蔽効果の変化がラスタ歪に与える影響を説明する図。
【図７】実施例に係る陰極線管装置の偏向ヨーク位置（ＹＰＢ）とラスタ歪（Ｔ／Ｂ歪）との関係を示す図。
【図８】比較例に係る陰極線管装置の偏向ヨーク位置（ＹＰＢ）とラスタ歪（Ｔ／Ｂ歪）との関係を示す図。
【図９】画面全域でのラスタサイズの変化の一例を示した図であり、（ａ）は画面全域でのラスタサイズが拡大した様子の一例を示した図、（ｂ）は画面全域でのラスタサイズが縮小した様子の一例を示した図。
【図１０】従来の内部磁気シールドの一例の斜視図。
【符号の説明】
【００６１】
２  スクリーン面
３  フェースパネル
４  ファンネル
８  偏向ヨーク
９  マグネット
１０  内部磁気シールド
１０ａ  延出部
【図１】
2006134814.tif 000003
【図２】
2006134814.tif 000004
【図３】
2006134814.tif 000005
【図４】
2006134814.tif 000006
【図５】
2006134814.tif 000007
【図６】
2006134814.tif 000008
【図７】
2006134814.tif 000009
【図８】
2006134814.tif 000010
【図９】
2006134814.tif 000011
【図１０】
2006134814.tif 000012